(57)【要約】【課題】カバーの着脱時にＬＥＤランプの取り付け位置と取り付け方向がずれることがなく、また、ベースとカバーとの嵌合がスムーズにできて組み立て作業性が良好な電子機器用筐体を提供する。【解決手段】ベース２の取付片１２の前面側をカバー３の高さ寸法と略同一にカバー支持部１４を形成し、ベース２の背板２ｂの上端を折曲形成した嵌合片９の左右両端部を延出して案内支持部１１を形成する。筐体１を組み立てるにはベース２のカバー支持部１４と案内支持部１１にカバー３が載るように置き、カバー３を後方にスライドさせることにより各箇所の嵌合が行われ、取付ネジをカバー３のネジ挿通孔１８に挿通させてベース２のタップ孔１３に螺着して固定する。また、ベース２の前端縁の一部を立ち上げて保持片７を形成し、保持片７に穿設した保持孔７ａにＬＥＤランプ４を挿通させてＬＥＤランプ４が動かないように保持している。【選択図】        図１
2004214427.tif 000002
【特許請求の範囲】
【請求項１】
底板と背板とを有するベースと、前面板と天板と左右側板とを有するカバーとで成り、ベースの背板の上端に形成した嵌合片を前記カバーの天板の後端に形成した嵌合受け片に嵌合し、前記カバーの左右側板に形成したネジ挿通孔にネジを挿通させてベースの底板の左右両辺に立設した取付片のネジ孔に螺着して固定する電子機器用筐体において、前記ベースの取付片の前面側を前記カバーの高さ寸法と略同一にカバー支持部を形成したことを特徴とする電子機器用筐体。
【請求項２】
前記ベースの背板の嵌合片の左右両端部を延出し、前記カバーを支持するとともに前記カバーの嵌合受け片を前記ベースの嵌合片に案内するための案内支持部を形成したことを特徴とする請求項１に記載の電子機器用筐体。
【請求項３】
ベースに基板を取り付け、該基板に実装したＬＥＤランプをカバーのＬＥＤランプ貫通孔から露出して成る電子機器用筐体において、前記ＬＥＤランプの直径より大きい径の保持孔を有する保持体を前記ベースに設けて前記ＬＥＤランプを保持可能にしたことを特徴とする電子機器用筐体。
【発明の詳細な説明】
【０００１】
【発明の属する技術分野】
本発明は、ベースとカバーから成る電子機器用筐体の構造に関する。
【０００２】
【従来の技術】
従来のベースとカバーから成る電子機器用筐体としては、例えば非特許文献１に示されるようなものがある。この電子機器用筐体２１は、図５〜図７に示すように底板２２ａと背板２２ｂとを有するベース２２と、前面板２３ａと天板２３ｂと左右側板２３ｃとを有するカバー２３とで成っている。ベース２２はＬＥＤランプ２４を実装した基板２５をＬＥＤランプ２４が底板２２ａの前端で前方を向くように配置し底板２２ａに設けた溶接ナット２６に螺着して取り付けられている。また、ベース２２の左右両辺を折曲形成して取付片３２が立設され、取付片３２にはカバー２３を螺着するためのタップ孔３３が数箇所に形成されている。ベース２２の背板２２ｂの上端は内側方向に折曲形成された嵌合片２９が形成され、ベース２２の底板２２ａの前端縁の略中央にはカバー２３と嵌合しやすいように先端部を斜め上に曲げた矩形状の接触片２８を形成している。一方、カバー２３は前面板２３ａにＬＥＤランプ２４が貫通するようにＬＥＤ貫通孔３５が穿設され、前面板２３ａの下端部が内側方向に折曲形成され、その端縁にベース２２の接触片２８と同様に先端部を曲げた接触片３６がベース２２の接触片２８と干渉しないように間を空けて形成されている。カバー２３の左右側板２３ｃはベース２２のタップ孔３３と対向する位置に取付ネジ３７が挿通するために取付ネジ３７の径より大きいネジ挿通孔３８と換気用の多数の通気孔３９が穿設され、カバー２３の天板２３ｂ内側の後端にベース２２の嵌合片２９を嵌合する段曲げ形状の嵌合受け片３０が形成されている。このように構成したベース２２とカバー２３は、ベース２２の嵌合片２９とカバー２３の嵌合受け片３０が嵌合するとともに、ベース２２の接触片２８とカバー２３の接触片３６がカバー２３とベース２２の対向する部分に乗り上げるようにし、更にＬＥＤランプ２４がカバー２３のＬＥＤ貫通孔３５を貫通するようにベース２２に対してカバー２３をスライドさせ、取付ネジ３７をカバー２３のネジ挿通孔３８に挿通させてベース２２のタップ孔３３に螺着して固定していた。
【０００３】
【非特許文献１】
“ネットワーク環境監視装置”［ｏｎｌｉｎｅ］、平成１４年３月、河村電器産業株式会社、［平成１４年１２月２０日検索］、インターネット＜ＵＲＬ：ｈｔｔｐ：／／ｗｗｗ．ｋａｗａｍｕｒａ．ｃｏ．ｊｐ／ｒａｃｋ／ｌｉｎｅｕｐ／ｒｐ４５／ｉｎｄｅｘ．ｈｔｍｌ＞
【０００４】
【発明が解決しようとする課題】
従来の電子機器用筐体はベースにカバーを嵌合させる際にカバーがＬＥＤランプに不要に接触し、取り付け方向と取り付け位置がずれてしまい、ＬＥＤランプがカバーのＬＥＤランプ貫通孔に一致しなくなるため、慎重に組み立てなければならず作業性が悪かった。また、ベースとカバーを嵌合させる際にカバーを高さ方向に位置決めするものがないため、ベースとカバーとが上下にずれて嵌合が非常に困難で組立性が悪かった。
【０００５】
そこで上記問題点に鑑み、本発明の目的は、カバーの着脱時にＬＥＤランプの取り付け位置と取り付け方向がずれることがなく、また、ベースとカバーとの嵌合がスムーズにできて組み立て作業性が良好な電子機器用筐体を提供することである。
【０００６】
【課題を解決するための手段】
上記目的を達成するために、請求項１に記載の発明によれば、底板と背板とを有するベースと、前面板と天板と左右側板とを有するカバーとで成り、ベースの背板の上端に形成した嵌合片をカバーの天板の後端に形成した嵌合受け片に嵌合し、カバーの左右側板に形成したネジ挿通孔にネジを挿通させてベースの底板の左右両辺に立設した取付片のネジ孔に螺着して固定する電子機器用筐体において、ベースの取付片の前面側をカバーの高さ寸法と略同一にカバー支持部を形成したことを特徴とする。
【０００７】
請求項２に記載の発明によれば、請求項１に記載の電子機器用筐体において、ベースの背板の嵌合片の左右両端部を延出し、カバーを支持するとともにカバーの嵌合受け片をベースの嵌合片に案内するための案内支持部を形成したことを特徴とする。
【０００８】
請求項３に記載の発明によれば、ベースに基板を取り付け、基板に実装したＬＥＤランプをカバーのＬＥＤランプ貫通孔から露出して成る電子機器用筐体において、ＬＥＤランプの直径より大きい径の保持孔を有する保持体をベースに設けてＬＥＤランプを保持可能にしたことを特徴とする。
【０００９】
【発明の実施の形態】
請求項１に記載の発明によれば、底板と背板とを有するベースと、前面板と天板と左右側板とを有するカバーとで成り、ベースの背板の上端に形成した嵌合片をカバーの天板の後端に形成した嵌合受け片に嵌合し、カバーの左右側板に形成したネジ挿通孔にネジを挿通させてベースの底板の左右両辺に立設した取付片のネジ孔に螺着して固定する電子機器用筐体において、ベースの取付片の前面側をカバーの高さ寸法と略同一にカバー支持部を形成したことにより、カバーを高さ方向に位置決めでき、ベースとカバーとの嵌合がスムーズにできて組み立て作業性が向上する。
【００１０】
請求項２に記載の発明によれば、請求項１に記載の電子機器用筐体において、ベースの背板の嵌合片の左右両端部を延出し、カバーを支持するとともにカバーの嵌合受け片をベースの嵌合片に案内するための案内支持部を形成したことにより、ベースとカバーとの嵌合がスムーズにできて組み立て作業性が向上する。
【００１１】
請求項３に記載の発明によれば、ベースに基板を取り付け、基板に実装したＬＥＤランプをカバーのＬＥＤランプ貫通孔から露出して成る電子機器用筐体において、ＬＥＤランプの直径より大きい径の保持孔を有する保持体をベースに設けてＬＥＤランプを保持可能にしたことにより、カバーの着脱時にＬＥＤランプの取り付け位置と取り付け方向がずれるのを防止することができる。
【００１２】
【実施例】
本発明に係る電子機器用筐体の一実施例を図１〜図４の添付図面に基づいて説明する。
【００１３】
電子機器用筐体１は、底板２ａと背板２ｂとを有するベース２と、前面板３ａと天板３ｂと左右側板３ｃとを有するカバー３とで成っている。
【００１４】
ベース２はＬＥＤランプ４を実装した基板５をＬＥＤランプ４が底板２ａの前端で前方を向くように配置し底板２ａに設けた溶接ナット６に螺着して取り付けられている。底板２ａの前端縁は一部を立ち上げるように折曲形成してＬＥＤランプ４の直径より大きい径の保持孔７ａを穿設した保持片７が形成され、保持孔７ａにＬＥＤランプ４が挿通されてＬＥＤランプ４が動かないように保持されている。また、底板２ａの前端縁の略中央にはカバー３と嵌合しやすいように先端部を斜め上に曲げた矩形状の接触片８が形成されている。背板２ｂの上端は内側方向に折曲形成された嵌合片９が形成され、嵌合片９の左右両端部を延出してカバー３を支持するとともに後述するカバー３の嵌合受け片１０をベース２の嵌合片９に案内するための案内支持部１１が形成されている。また、ベース２の左右両辺は折曲形成して取付片１２が立設され、取付片１２にはカバー３を螺着するためのタップ孔１３が数箇所に形成されている。取付片１２の前面側はカバー３の高さ寸法と略同一のカバー支持部１４が形成されている。
【００１５】
一方、カバー３は前面板３ａにＬＥＤランプ４が貫通するようにＬＥＤ貫通孔１５が穿設され、前面板２ａの下端部が内側方向に折曲形成され、その端縁にベース２の接触片８と同様に先端部を曲げた接触片１６がベース２の接触片８及び保持片７と干渉しないように間を空けて形成されている。カバー３の左右側板３ｃはベース２のタップ孔１３と対向する位置に取付ネジ１７が挿通するために取付ネジ１７の径より大きいネジ挿通孔１８と、換気用の多数の通気孔１９が穿設され、カバー３の天板３ｂ内側の後端にベース２の嵌合片９を嵌合する段曲げ形状の嵌合受け片１０が形成されている。
【００１６】
このように構成したベース２とカバー３は、ベース２のカバー支持部１４と案内支持部１１にカバー３が載るように置き、カバー３を後方にスライドさせることによりベース２の嵌合片９とカバー３の嵌合受け片１０が嵌合するとともに、ベース２の接触片８とカバー３の接触片１６がカバー３とベース２の対向する部分に乗り上げて嵌合し、更にＬＥＤランプ４がカバー３のＬＥＤ貫通孔１５を貫通する。そして、取付ネジ１７をカバー３のネジ挿通孔１８に挿通させてベース２のタップ孔１３に螺着して固定する。
【００１７】
尚、本実施例においてＬＥＤランプを保持するための保持体としての保持片はベースと一体に形成したが、別に形成した部品をベースに固定しても良い。
【００１８】
【発明の効果】
以上説明したように請求項１に記載の発明によれば、底板と背板とを有するベースと、前面板と天板と左右側板とを有するカバーとで成り、ベースの背板の上端に形成した嵌合片をカバーの天板の後端に形成した嵌合受け片に嵌合し、カバーの左右側板に形成したネジ挿通孔にネジを挿通させてベースの底板の左右両辺に立設した取付片のネジ孔に螺着して固定する電子機器用筐体において、ベースの取付片の前面側をカバーの高さ寸法と略同一にカバー支持部を形成したことにより、カバーを高さ方向に位置決めでき、ベースとカバーとの嵌合がスムーズにできて組み立て作業性が向上するという効果がある。
【００１９】
請求項２に記載の発明によれば、請求項１に記載の電子機器用筐体において、ベースの背板の嵌合片の左右両端部を延出し、カバーを支持するとともにカバーの嵌合受け片をベースの嵌合片に案内するための案内支持部を形成したことにより、ベースとカバーとの嵌合がスムーズにできて組み立て作業性が向上するという効果がある。
【００２０】
請求項３に記載の発明によれば、ベースに基板を取り付け、基板に実装したＬＥＤランプをカバーのＬＥＤランプ貫通孔から露出して成る電子機器用筐体において、ＬＥＤランプの直径より大きい径の保持孔を有する保持体をベースに設けてＬＥＤランプを保持可能にしたことにより、カバーの着脱時にＬＥＤランプの取り付け位置と取り付け方向がずれるのを防止することができるという効果がある。
【図面の簡単な説明】
【図１】本発明に係る電子機器用筐体の分解斜視図である。
【図２】本発明に係る電子機器用筐体のカバーの裏面を示す斜視図である。
【図３】本発明に係る電子機器用筐体のＬＥＤランプの取付部分を示す要部断面図である。
【図４】本発明に係る電子機器用筐体のベースにカバーを取り付ける様子を示す斜視図である。
【図５】従来の電子機器用筐体の分解斜視図である。
【図６】従来の電子機器用筐体のカバーの裏面を示す斜視図である。
【図７】従来の電子機器用筐体の外観斜視図である。
【符号の説明】
１…電子機器用筐体
２…ベース
３…カバー
４…ＬＥＤランプ
７…保持片
７ａ…保持孔
１１…案内支持部
１４…カバー支持部
【図１】
2004214427.tif 000003
【図２】
2004214427.tif 000004
【図３】
2004214427.tif 000005
【図４】
2004214427.tif 000006
【図５】
2004214427.tif 000007
【図６】
2004214427.tif 000008
【図７】
2004214427.tif 000009